(57)【要約】【課題】  ブックカバーの上に掛けられる帯を廃し、ブックカバー自体に帯としての機能を持たせ、帯の破損をなくし、かつブックカバーの強度を高めることを課題とする。【解決手段】  本２の表紙３、背表紙４、裏表紙５にわたりかつ両端部を表紙および裏表紙の側端部の内側へ折り込み得る長さを有するブックカバーにおいて、このカバーの下部に該カバーの表面側または裏面側へ折り返し得る所要の上下幅Ｌ１を有する折り返し部６を連設し、この折り返し部の折り返し面に所要の帯用記載内容８を印刷表示して帯用折り返し部とされ、この折り返し部が本の帯として機能するようにするとともに、この折り返し部をカバーの裏側へ折り返すことにより帯無しのカバーとなるようにしたことにある。【選択図】  図４
2006026978.tif 000002
【特許請求の範囲】
【請求項１】
本の表紙、背表紙、および裏表紙にわたりかつ両端部を表紙および裏表紙の側端部の内側へ折り込み得る長さを有するブックカバーにおいて、このカバーの下部に該カバーの表面側または裏面側へ折り返し得る所要の上下幅を有する折り返し部を連設し、この折り返し部の折り返し面に所要の帯用記載内容を印刷表示として帯用折り返し部とされ、この折り返し部が本の帯として機能するようにするとともに、この折り返し部をカバーの裏面側へ折り返すことにより帯無しのカバーとなるようにしたことを特徴とするブックカバー。
【請求項２】
本の表紙、背表紙、および裏表紙にわたりかつ両端部を表紙および裏表紙の側端部の内側へ折り込み得る長さを有するブックカバーにおいて、このカバーの下部に該カバーの表面側または裏面側へ折り返し得る折り返し部を連設し、この折り返し部の折り返し面に所要の帯用記載内容を印刷表示して帯用折り返し部とされ、前記カバーの上部に該カバーの表面側または裏面側へ折り返し得る所要の上下幅を有するバーコード等の表示用折り返し部を連設し、前記帯用折り返し部および表示用折り返し部をカバーの表面側へ折り返すことにより本の帯および表示面を構成し、裏面側へ折り返すことにより帯無しおよび表示無しのカバーとなるようにしたことを特徴とするブックカバー。
【請求項３】
前記帯用折り返し部を平板状に展開したときカバーの表面に表示されている絵柄と前記帯用折り返し部に表示された絵柄とが一連の絵柄となってポスターとして使用し得るようになされている請求項１記載のブックカバー。
【請求項４】
前記帯用折り返し部および表示用折り返し部を平板状に展開したときカバーの表面に表示されている絵柄と前記各折り返し部に表示されている絵柄とが一連の絵柄となってポスター状として使用し得るようになされている請求項２記載のブックカバー。
【請求項５】
前記カバーの裏面に、該カバーを裏返して本に装着したとき本の表紙を飾る絵柄が印刷表示されている請求項１〜４のいずれか１項記載のブックカバー。
【発明の詳細な説明】
【技術分野】
【０００１】
本発明は本の外面を覆うブックカバーに関する。
【背景技術】
【０００２】
表紙および裏表紙が厚紙で構成される本にあっては、その表紙から背表紙を経て裏表紙にわたって覆い、端部を表紙および裏表紙の側端部に折り込んで本と一体化するブックカバーが装着されている。さらにこのブックカバーには、その本の内容を象徴的に示しかつ人目を引く絵柄（写真、絵画、抽象パターン、文字等）が印刷されている。
【０００３】
一方、前記ブックカバーの上に、その本のキャッチフレーズ、セールスポイント、賞を獲得したものである場合はその賞の内容、その他必要事項が印刷された所要上下幅のベルト状のシート（これを「帯」と称する）が掛けられる。
【０００４】
また前記ブックカバーの裏表紙側には、販売時のデータ保存および流通の省力化・合理化の用途からバーコードによる表示が施される。このバーコードは、流通コードセンターの規定により、原則として白地に黒色で表示するよう指示されている。
【０００５】
しかして前記の「帯」は、ブックカバーの上から該カバーと同様に表紙、背表紙、裏表紙にわたりかつ端部を表紙、裏表紙の側端部に折り込んで装着されるので、書店における本の取り扱い時や、客が書棚から取り出して中味を見たのち再びその場所へ戻す際に外れたりずれ動きやすく、場合によっては破れてしまうことが起き、本の体裁を損ってしまうことが多い。
【０００６】
また返品時には、その帯を新規なものと付け替えることが必要となり、そのため多くの手数を要し、コストアップに繋がることになる。
【０００７】
一方、バーコードを表示するため、ブックカバーの一部に白抜きのスペースを作り、そこにバーコードを印刷することになるため、本としての外観上違和感を与え、人によってはこれを嫌う場合があり、その対応に苦慮している。
【０００８】
そのためバーコードを印刷した粘着テープをブックカバーの一部に貼り、購入後これを剥せるようにしている本もあるが、これによるとバーコードを印刷したテープを別途用意し、かつこれを１枚ずつ所定の位置に貼付する手数を要することになって、勢いコストアップになることは避けられず、好ましくない。
【特許文献１】特開２０００−１５９５６号公報
【特許文献２】特開平１０−４４６４１号公報
【発明の開示】
【発明が解決しようとする課題】
【０００９】
本発明は、従来から用いられている形態の帯を廃し、これと同効の帯機能をブックカバー自体に持たせ、これにより帯の外れやずれ動くことを皆無とし、また帯が不要な人はこれを反対側へ折り返すことにより帯無しのブックカバーとして本を保護する機能を発揮させ、かつブックカバー自体の補強の効果をもたらすことができるブックカバーを低コストで得ることを課題とする。
【００１０】
またバーコードの表示部分を外部からは見えない形態に変態させることが簡単にでき、バーコードの存在を嫌う人においても違和感のないブックカバーを提供することにある。
【００１１】
さらにはブックカバーを本から取り外して独立したポスター状とし、部屋の壁面等に飾って楽しむ用途にも対応することができ、本を保護するだけのブックカバーを超えた実益を持たせることを可能とすることにある。
【課題を解決するための手段】
【００１２】
上記課題を解決する手段として本発明は、本の表紙、背表紙、および裏表紙にわたりかつ両端部を表紙および裏表紙の側端部の内側へ折り込み得る長さを有するブックカバーにおいて、このカバーの下部に該カバーの表面側または裏面側へ折り返し得る所要の上下幅を有する折り返し部を連設し、この折り返し部の折り返し面に所要の帯用記載内容を印刷表示して帯用折り返し部とされ、この折り返し部が本の帯として機能するようにするとともに、この折り返し部をカバーの裏面側へ折り返すことにより帯無しのカバーとなるようにしたことにある。
【００１３】
請求項２は、上記構成に加え、前記カバーの上部に該カバーの表面側または裏面側へ折り返し得る所要の上下幅を有するバーコード等の表示用折り返し部を連設し、前記帯用折り返し部および表示用折り返し部をカバーの表面側へ折り返すことにより本の帯および表示面を構成し、裏面側へ折り返すことにより帯無しおよび表示無しのカバーとなるようにしたものである。
【００１４】
なお上記表示用折り返し部が有色であるときは、その適所に白抜きのスペースが設けられ、この白抜き部分にバーコードが黒色印刷される。
【００１５】
請求項３は、前記帯用折り返し部を平板状に展開したときカバーの表面に表示されている絵柄と前記帯用折り返し部に表示された絵柄とが一連の絵柄となってポスターとして使用し得るようにしたものであり、請求項４は、カバーの上部に連設された表示用折り返し部をも平板状に展開したときカバーの表面、帯用折り返し部、表示用折り返し部に印刷されているすべての絵柄が一連の絵柄を構成するようにしたことにある。
【００１６】
請求項５は、前記カバーの裏面に、該カバーを裏返して本に装着したとき本の表紙を飾る絵柄を印刷表示し、カバーをリバーシブルとしたことにある。
【発明の効果】
【００１７】
請求項１記載の発明によれば、ブックカバーの下部に連設された帯用折り返し部をブックカバーの表側に折り返すことにより「帯」が形成されるので、従来のように別途印刷して用意した帯を掛ける必要がなく、装丁の手数を大幅に削減することができるとともに、本の取り扱い中あるいは客が書棚に出し入れしても帯が外れたりずれ動いてしまうことがなく、常に同じ箇所に位置して本の外観を損うことがない。
【００１８】
また破れることも少ないので、返品時等に新たな帯に掛け替える必要がなく、コスト面できわめて有利となる。加えて帯用表示内容をカバーの印刷と一緒に行えるので、印刷工程が少くてすみ、従来の帯を別に印刷するものに比して印刷コストを低減させることができる。
【００１９】
さらに帯用折り返し部が折り返えされることにより、ブックカバーの最も破れやすい下端が補強されるので、長期にわたり本の体裁を損うことなく保存することができ、特に貴重な本の場合などでは有効に作用する。
【００２０】
一方、帯が不要とされる人は、この帯用折り返し部をカバーの裏面側へ折り返えせば、本の表紙と対応する領域が現われるので、そこに印刷されている絵柄をすべて見えるようにすることができる。
【００２１】
請求項２によれば、カバーの上部に表示用折り返し部を連設し、この表示用折り返し部の折り返し面に白抜き部分を設けてバーコードを黒色印刷するようにしたので、ブックカバーの主要部分にバーコードを印刷する必要がなく、またバーコードの存在を嫌う人においては、この表示用折り返し部をカバーの裏面側へ折り返すことによりバーコードを隠すことができると同時に本の表紙に対応する裏面の絵柄を現わすことができる。
【００２２】
請求項３、４によれば、各折り返し部を平板状に展開したときカバーの表面に印刷された絵柄と一連となる絵柄を印刷しておくことにより、ブックカバーを本から外してポスターとして室内の壁面等に貼って楽しむことができ、ブックカバーの利用範囲を拡大することができる。
【００２３】
請求項５によれば、ブックカバーを裏返して本に掛ければ、販売時における外装とは異るイメージの本の外装にすることができ、本の内容のイメージ表現を著しく増大することができる。
【発明を実施するための最良の形態】
【００２４】
図１は本発明の基本的実施形態におけるブックカバーを本に装着した状態を斜視図で示し、図２は上記ブックカバーのみの装着前の形態を斜視図で示している。
【００２５】
前記ブックカバー１Ａは、本２の表紙３、背表紙４、裏表紙５にわたりかつ両端の折り込み部１ａ、１ａを表紙３および裏表紙５の側端部の内側へ折り込み得る横方向長さを有し、このブックカバー１Ａの下部に該カバー１Ａの表面側または裏面側へ折り返し得る所要の上下幅Ｌ１を有する帯用折り返し部６が折線７を介して一体に連設されている。したがってブックカバー１Ａの上端から前記折線７までの幅Ｌ２が本２の上下方向の幅と略同一寸法となっている。
【００２６】
前記帯用折り返し部６のこれを折り返したとき表面となる折り返し面には、その本２のキャッチフレーズ、セールスポイント、芥川賞や直木賞等の賞を受けた小説の場合はその賞の内容等、所定の帯用記載内容８が印刷されている。
【００２７】
図１においては、帯用折り返し部６をブックカバー１Ａの表面上に折り返して「帯」とした状態を示しており、この帯用折り返し部６を表面側へ折り返した状態時に帯用折り返し部６を除くブックカバー１Ａの表紙面にはその本２の内容をイメージする絵柄９が印刷されている。
【００２８】
なお、本２の購入者が帯を不要とするときは、帯用折り返し部６を図３のようにブックカバー１Ａの裏面側へ折り返すことにより帯無しのカバーとすることができ、その際に帯用折り返し部６の表面側への折り返しにより隠れる部分にも前記絵柄９と一連となる絵柄を印刷しておくことにより、前記の帯無しカバーの形態とした場合においても違和感のないブックカバーとすることができる。
【００２９】
図４は、本発明の他の実施形態におけるブックカバーを本に装着した状態を斜視図で示し、図６は上記ブックカバーのみの装着前の形態を斜視図で示している。
【００３０】
この実施形態におけるブックカバー１Ｂは、前記帯用折り込み部６とは別にブックカバー１Ｂの上部に該カバー１Ｂの表面側または裏面側へ折り返し得る所要の上下幅Ｌ３の表示用折り返し部１０が折線１１を介して一体に連設されたもので、この表示用折り返し部１０をブックカバー１Ｂの表面側へ折り返したとき表面となる折り返し面に白抜き領域１２が設けられ、この白抜き領域１２内にバーコード１３が黒色印刷により表示されている。白抜き領域１２及びバーコード１３は、本の裏側に位置する表示用折り返し部１０の表面に設けられている。またこの折り返し面には、必要によりバーコード１３以外の所要の事項１４（例えば本の価格表示１４ａや本の著者名１４ｂ等）が印刷される。
【００３１】
図４においては、表示用折り返し部１０をブックカバー１Ｂの表面上に折り返して表示内容を表示するようにした状態を示しており、この表示用折り返し部１０と前記帯用折り返し部６との間のブックカバー１Ｂの表紙面にその本２の内容をイメージする絵柄９が印刷表示されている。
【００３２】
なお、本２の購入者がバーコード１３の存在を嫌うような場合には、図６に示すようにこの表示用折り返し部１０をブックカバー１Ｂの裏面側へ折り返して本２に装着すれば、表示用折り返し部１０が隠れるのでバーコード１３の存在を隠すことができる。
【００３３】
そしてこの表示用折り返し部１０をブックカバー１Ｂの裏側へ折り返したときその折り返し部１０により隠れていた領域にも前記絵柄９と一連となる関連した絵柄を印刷しておくことにより表示用折り返し部１０が表面に存在していなくともブックカバー１Ｂの表紙面を一つの絵として飾ることができる。
【００３４】
さらに表示用折り返し部１０と帯用折り返し部６との双方をブックカバー１Ｂの裏側へ折り返せば、前記図３と同じ外観のブックカバーとすることができる。
【００３５】
また各折り返し部６、１０を上・下にそれぞれ展開したとき前記表紙面の絵柄９と一連（または関連）の絵柄や文字を印刷しておけば、ブックカバー１Ｂを本２から外して１枚のポスターとしての機能をもたせることができ、室内の壁面等に貼って楽しむことができる。
【００３６】
加えて前記絵柄９のほか、図８に例示するようにブックカバー１Ａ、１Ｂの裏面に別の絵柄を印刷しておき、前記各折り返し部６、１０をブックカバー１Ａ、１Ｂの表面側へ折り返したのちこれらを内側として本に装着するようにすれば、別の絵柄で表紙を飾ることができ、１枚のブックカバーで２様の表現を与えるようにすることができる。
【００３７】
図９（Ａ）〜（Ｄ）は上記ブックカバー１Ｂの変態形態を模式的に示しており、（Ａ）は帯用折り返し部６および表示用折り返し部１０を共にブックカバー１Ｂの表面側へ折り返して本に装着する形態、（Ｂ）は帯用折り返し部６はそのままで、表示用折り返し部１０をブックカバー１Ｂの裏側へ折り返して表示用折り返し部１０を隠した形態、（Ｃ）は双方の折り返し部６、１０を共にブックカバー１Ｂの裏側へ折り返して隠した形態、（Ｄ）はブックカバー１Ｂを裏返しにして本に装着するようにした形態をそれぞれ示している。なおこの図９（Ｄ）は図９（Ｃ）と同じ図となっているが、実際はブックカバー１Ｂの表裏が反転している点が異っているのである。
【００３８】
いずれの形態においても、ブックカバー１Ｂの上下部は折り返し部６、１０の連設部分（折線部分）が存在するので、ブックカバー１Ｂの剛性が増し、本に装着した形態が崩れることがなく、かつ本の上下端にブックカバー１Ｂの木口（切断面）が現れないので破れを防ぎ、永年にわたって綺麗なカバーとして使用することが可能となる。
【図面の簡単な説明】
【００３９】
【図１】本発明によるブックカバーの一実施形態を本に装着した状態として示す斜視図。
【図２】同、本に装着する前の形態を示す斜視図。
【図３】同、帯無し形態とした状態を示す斜視図。
【図４】本発明によるブックカバーの他の実施形態を本に装着した形態を示す斜視図。
【図５】同、本に装着する前の形態を示す斜視図。
【図６】同、表示用折り返し部を内側に折り返した状態を示す斜視図。
【図７】同、展開平面図。
【図８】ブックカバーの裏面にさらに別の絵柄を印刷した例を示す図。
【図９】（Ａ）〜（Ｄ）は形態例を模式的に示す説明図。
【符号の説明】
【００４０】
１Ａ、１Ｂ  ブックカバー
２  本
３  本の表紙
４  同、背表紙
５  同、裏表紙
６  帯用折り返し部
７、１１  折線
９  絵柄
１０  表示用折り返し部
１２  白抜き領域
１３  バーコード
【図１】
2006026978.tif 000003
【図２】
2006026978.tif 000004
【図３】
2006026978.tif 000005
【図４】
2006026978.tif 000006
【図５】
2006026978.tif 000007
【図６】
2006026978.tif 000008
【図７】
2006026978.tif 000009
【図８】
2006026978.tif 000010
【図９】
2006026978.tif 000011